(57)【要約】      （修正有）【課題】パッド取付部のしなりによって打撃の衝撃を吸収することで、床鳴りを抑制して静粛性を向上させると共に耐久性を高める。【解決手段】スタンド１０は床面Ｆに設置される。金属製のステイ２０のスタンド取付部２１とパッド取付部２２とは屈曲点Ｐ０で接続され、側面視Ｌ字状を呈している。スタンド１０の前脚部１３の上端部にスタンド取付部２１が固定され、ヘッド部３０を有するパッド体ＰＤがパッド取付部２２に固定される。パッド取付部２２は垂直方向に略平行で、スタンド取付部２１は前後方向に略平行となる。ヘッド部３０が打撃されたとき、打撃力によってパッド取付部２２がスタンド取付部２１に対して屈曲点Ｐ０を支点として後側に撓むことで衝撃力が吸収される。【選択図】図１
2014199440.tif 000002
【特許請求の範囲】
【請求項１】
床面に設置されるスタンドと、
前記スタンドに固定されたスタンド取付部、及び前記スタンド取付部から屈曲点で屈曲して略垂直方向に延びたパッド取付部を有し、前記スタンド取付部及び前記パッド取付部が側面視屈曲形状を呈する支持部材と、
ビータによって打撃されるヘッド部を有し、前記パッド取付部に取り付けられるパッド体と、
打撃による前記パッド体の前記ヘッド部の振動を電気信号に変換する打撃センサとを有し、
前記支持部材は、前記ヘッド部が打撃されたとき、打撃力によって前記パッド取付部が前記スタンド取付部に対して前記屈曲点を支点として後側に撓むことを特徴とする電子打楽器。
【請求項２】
前記屈曲点は前記スタンド取付部の前端に位置することを特徴とする請求項１記載の電子打楽器。
【請求項３】
インターフェイスを設けるための背面パネルが、前記パッド取付部の背面側の上部または下部の少なくともいずれかに固定されたことを特徴とする請求項１または２記載の電子打楽器。
【請求項４】
前記パッド体を少なくとも外周側から覆う前カバーが、前記パッド体とは接触しないように前記背面パネルに取り付けられたことを特徴とする請求項３記載の電子打楽器。
【請求項５】
前記支持部材は金属で一体に形成されることを特徴とする請求項１〜４のいずれか１項に記載の電子打楽器。
【請求項６】
前記支持部材において前記スタンド取付部と前記パッド取付部とに固定され、ヘッドが打撃されたときに前記屈曲点を支点として撓む前記パッド取付部を補強する補強部材をさらに有することを特徴とする請求項１〜５のいずれか１項に記載の電子打楽器。
【請求項７】
一端が前記スタンド取付部に固定されると共に他端が間隙を有して前記パッド取付部の後側に近接配置され、前記パッド取付部が前記屈曲点を支点として一定以上に撓んだときに前記パッド取付部に当接するストッパ部材をさらに有することを特徴とする請求項１〜６のいずれか１項に記載の電子打楽器。
【請求項８】
前記支持部材は、前記パッド取付部が前記スタンド取付部の前端または後端から垂直に延伸されるようにしたＬ字形状または逆Ｌ字形状に形成されることを特徴とする請求項１記載の電子打楽器。
【発明の詳細な説明】
【技術分野】
【０００１】
本発明は、打撃によるヘッド部の振動を打撃センサで電気信号に変換して楽音を発生させる電子打楽器に関する。
【背景技術】
【０００２】
従来、打撃によるヘッド部の振動を打撃センサで検出し、その検出信号に基づいて楽音を発生させる電子打楽器が知られている。例えば、下記特許文献１の電子打楽器は、電子バスドラムとして構成され、弾性材でなる円形のヘッド部の周縁部がフレームに嵌合固定される。ヘッド部の中央の打撃領域の裏側に中央クッションを介して打撃センサが配置される。
【０００３】
ドラム本体は、床面に設置されるスタンド（ライザ及び脚部）に支持される。ドラム本体において、ヘッド部はリムカバーを介して筒状のシェルに支持されると共に、シェルに対して環状フレーム及び円形フレームを介して固定される。
【先行技術文献】
【特許文献】
【０００４】
【特許文献１】特開２００９−１２８４２６号公報
【発明の概要】
【発明が解決しようとする課題】
【０００５】
しかしながら、上記従来の電子打楽器では、ヘッド部を含むドラム本体がスタンドに対して強固に固定状態とされ、なおかつヘッド部の周縁部もドラム本体において固定的な状態とされている。そのため、ヘッド部が打撃されたとき、ドラム本体からスタンドに衝撃が強く直接的に伝わり、それが床面にも伝わる。瞬間的に大きな衝撃力が床面に直接にかかることで、床から大きな音（床鳴り）が発生する。打撃センサでの検出による電子楽音と一緒に床鳴り等の不要な雑音が聞こえると邪魔になり、静粛性に欠けるという問題がある。
【０００６】
それだけでなく、ドラム本体のヘッド部以外の構成要素やスタンドに、瞬間的に大きな力が繰り返しかかることで、それらの耐久性にも悪影響が生じてくる。
【０００７】
本発明は上記従来技術の問題を解決するためになされたものであり、その目的は、パッド取付部のしなりによって打撃の衝撃を吸収することで、床鳴りを抑制して静粛性を向上させると共に耐久性を高めることができる電子打楽器を提供することにある。
【課題を解決するための手段】
【０００８】
上記目的を達成するために本発明の請求項１の電子打楽器は、床面に設置されるスタンド（１０）と、前記スタンドに固定されたスタンド取付部（２１）、及び前記スタンド取付部から屈曲点（Ｐ０）で屈曲して略垂直方向に延びたパッド取付部（２２）を有し、前記スタンド取付部及び前記パッド取付部が側面視屈曲形状を呈する支持部材（２０）と、ビータによって打撃されるヘッド部（３０）を有し、前記パッド取付部に取り付けられるパッド体（ＰＤ）と、打撃による前記パッド体の前記ヘッド部の振動を電気信号に変換する打撃センサ（１７）とを有し、前記支持部材は、前記ヘッド部が打撃されたとき、打撃力によって前記パッド取付部が前記スタンド取付部に対して前記屈曲点を支点として後側に撓むことを特徴とする。
【０００９】
好ましくは、前記屈曲点は前記スタンド取付部の前端に位置する。好ましくは、インターフェイスを設けるための背面パネル（１１）が、前記パッド取付部の背面側の上部（２３）または下部（２４）の少なくともいずれかに固定される。好ましくは、前記パッド体を少なくとも外周側から覆う前カバー（２５）が、前記パッド体とは接触しないように前記背面パネルに取り付けられる。好ましくは、前記支持部材は金属で一体に形成される。
【００１０】
なお、上記括弧内の符号は例示である。
【発明の効果】
【００１１】
本発明の請求項１によれば、パッド取付部のしなりによって打撃の衝撃を吸収することで、床鳴りを抑制して静粛性を向上させると共に耐久性を高めることができる。
【００１２】
請求項２によれば、パッド取付部の撓みの支点を極力前方に位置させることができ、スタンドが浮き上がりにくくなって耐久性が向上する。
【００１３】
請求項３によれば、部品点数を無駄に増やすことなくパッド取付部を補強して耐久性を高めることができる。
【００１４】
請求項４によれば、箱鳴りを抑制して静粛性を確保しつつパッド体を覆うことができる。
【００１５】
請求項５によれば、製造が容易で耐久性も高い。
【図面の簡単な説明】
【００１６】
【図１】本発明の一実施の形態に係る電子打楽器の正面側の斜視図（図（ａ））、同電子打楽器のカバー体を外した状態の背面側の斜視図（図（ｂ））である。
【図２】同電子打楽器の側面図（図（ａ））、背面図（図（ｂ））である。
【図３】図２（ｂ）のＡ−Ａ線に沿う断面図である。
【図４】図２（ｂ）のＣ−Ｃ線に沿う断面図である。
【図５】図２（ｂ）のＢ−Ｂ線に沿う断面図である。
【図６】カバー体の分解図である。
【図７】ステイの背面図（図（ａ））、側面図（図（ｂ））、底面図（図（ｃ））である。
【図８】ステイの斜視図である。
【図９】ステイの変形例を示す図である。
【図１０】打撃音の周波数特性を示す図である。
【図１１】従来、本実施の形態のそれぞれについて、カバー体とパッド体との配置関係を示す模式図（図（ａ）、（ｂ））である。
【発明を実施するための形態】
【００１７】
以下、本発明の実施の形態を図面を参照して説明する。
【００１８】
図１（ａ）は、本発明の一実施の形態に係る電子打楽器の正面側の斜視図である。図１（ｂ）は、同電子打楽器のカバー体を外した状態の背面側の斜視図である。図２（ａ）、（ｂ）は、同電子打楽器の側面図、背面図である。
【００１９】
この電子打楽器は電子バスドラムとして構成され、キックパッドとしてのドラム本体が、スタンド１０で支持されてなる。スタンド１０は床面Ｆに設置される。スタンド１０は、前脚部１３及び後脚部１４からなり、前脚部１３にペダル取り付け部１５が設けられている。本電子打楽器の奏者側には、図示はしないが、フットペダル装置が設置され、ペダル取り付け部１５に取り付けられる。以下、本電子打楽器の上下左右の各方向は、奏者側からの視点を基準として呼称する。前後方向については奏者側（フットペダル装置が設置される側）を前側とする。
【００２０】
取り付けられるフットペダル装置は一般的なものであり、ペダル操作によってそのビータがドラム本体のパッド体ＰＤを打撃する。フットペダル装置はビータが単一の構成でもよいが、本実施の形態で用いられるフットペダル装置は、ツインペダル型で２つのビータが独立して操作される構成であるとする。従って、円形のパッド体ＰＤの主として打撃される主打撃領域３８内における正面視の中心点の左側及び右側を各ビータがそれぞれ打撃するようにフットペダル装置が設置される。
【００２１】
図１(ｂ)に示すように、スタンド１０に対してステイ２０が固定される。ステイ２０の前側に、クッション保持部材１９のフランジを介在させてパッド体ＰＤが固定されている。これらの固定構造の詳細は後述する。
【００２２】
図３は、図２（ｂ）のＡ−Ａ線に沿う断面図である。図４は、図２（ｂ）のＣ−Ｃ線に沿う断面図である。図５は、図２（ｂ）のＢ−Ｂ線に沿う断面図である。
【００２３】
パッド体ＰＤは、ゴム、シリコンまたはウレタン等の弾性を有する部材で一体に形成されるヘッド部３０、樹脂等でなるフレーム４０、及び、硬質樹脂製または金属製のプレート４９からなる。ヘッド部３０は、フレーム４０よりも柔らかく弾性を有した材料でなる。プレート４９は、ヘッド部３０よりも硬質で制振部材として機能する板状部材である。
【００２４】
ヘッド部３０の背面にプレート４９が接着固定される。ヘッド部３０の周縁部３１の上部及び下部がフレーム４０の周縁部を外側から包み込むようにして、ヘッド部３０がフレーム４０に取り付けられている。
【００２５】
本実施の形態では、ツインビータ構成のフットペダル装置を用いるとしたので、図１（ａ）に示すように、主打撃領域３８は横長の長円である。なお、ヘッド部３０の表面にはニット材等の伸縮性の保護材が貼られるが、以降、必要が無い限り、打撃面を表現する際にニット材の表面とヘッド部３０の表面とを区別しない。
【００２６】
前カバー２５と、背面カバー１１と、これらを連結して一体化する６つのフック部材１２とからカバー体ＣＶが構成される（図１（ａ））。これらの構成部品はいずれも、樹脂等の弾性を有した材料で構成される。カバー体ＣＶは、打撃による電子楽音を発音する上で必須のものではない。しかし、パッド体ＰＤを覆うことで、保護になると共に、アコースティックバスドラムのように見せることができ、また自由なデザインにより意匠的効果を発揮する。
【００２７】
図６は、カバー体ＣＶの分解図である。前カバー２５は、筒状部６１を有すると共に、筒状部６１の前部に環状部６３を有する。筒状部６１は下部が切り欠かれ、完全な円筒ではないが、環状部６３は、フープに似せた完全な環状となっている。筒状部６１の後部は、後縁部６２となっている。前カバー２５の左右の側部において、環状部６３から筒状部６１にかけて、複数の開口スリット２６が形成されている（図１（ａ）、図２（ａ）、図６）。
【００２８】
背面カバー１１は、最後部に、フープに似せた環状部５８を有する。環状部５８から前方に奥まった位置に、パネル部５１が形成される（図２（ｂ）、図３〜図５）。パネル部５１は背面パネルとしての機能を果たし、その背面には、インターフェイス５６、５７が設けられる（図２（ｂ））。これらインターフェイス５６、５７の例としては、端子類、操作子類、表示部等が挙げられるが例示に限定されない。また、パネル部５１には、複数の貫通した通気孔５５が形成される。パネル部５１の上部、下部にはそれぞれ、ステイ２０に取り付けられるための取り付け穴を有した取付部５２、５３が設けられる（図２（ｂ）、図５、図６）。
【００２９】
フック部材１２は、図６においては断面で示しているが、側面視でコ字状に形成され、互いに平行な前側片７２と後側片７１とを有する。後側片７１にはネジ穴７３が形成されている。６つのフック部材１２の各構成は同じである。
【００３０】
図７（ａ）、（ｂ）、（ｃ）は、ステイ２０の背面図、側面図、底面図である。図８は、ステイ２０の斜視図である。
【００３１】
ステイ２０は、支持部材としてパッド体ＰＤを支持するに足る剛性を有すると共に、外力の有無によって撓みと撓みの復元が可能な可撓性を有し、例えば鉄等の金属で一体に形成される。ステイ２０には大穴２０ａが形成され、大穴２０ａを囲む矩形板状部のうち左右両側の板状部がパッド取付部２２となっている。スタンド１０に固定された状態では、パッド取付部２２は垂直方向に略平行になる。
【００３２】
パッド取付部２２を含む矩形板状部の上部、下部からはそれぞれ、パッド取付部２２に対して直角な板状部が屈曲形成され、矩形板状部の下部から屈曲形成された下側の板状部がスタンド取付部２１である。スタンド取付部２１は前後方向に略平行となる。スタンド取付部２１とパッド取付部２２とに着目すると、これらは屈曲点Ｐ０で接続され、側面視Ｌ字状（屈曲形状）を呈している（図７（ｂ））。屈曲点Ｐ０はスタンド取付部２１の前端に位置している。
【００３３】
矩形板状部の上部から屈曲形成された上側の板状部６９の後部からは取り付け片２３が上方に延び、スタンド取付部２１の後部からは取り付け片２４が下方に延びている。取り付け片２３、２４にはそれぞれ、背面カバー１１が取り付けられるためのネジ穴を有した締結部２７が設けられる。取り付け片２４には、インターフェイス５６が設けられるための穴２８が形成されている。スタンド取付部２１には、スタンド１０に取り付けられるためのネジ穴を有した締結部２９が設けられる。パッド取付部２２には、パッド体ＰＤを取り付けるための締結穴６８が形成されている。
【００３４】
図９は、ステイ２０の変形例を示す図である。図９に示す変形例では、ステイ２０の下部のスタンド取付部２１に至る箇所が折り曲げられた形状をしている。すなわち、矩形板状部の下部が部分的に折り返された後、水平に曲げられてスタンド取付部２１を形成している。ここで、ステイ２０の矩形板状部の折返し部分の下端に対応する屈曲点Ｐ１はスタンド取付部２１の前端の下に位置している。
【００３５】
パッド体ＰＤは、次のようにしてスタンド１０に取り付けられる。まず、スタンド１０の前脚部１３の上端部にステイ２０のスタンド取付部２１を当接させ、締結部２９にネジを螺合することで、スタンド取付部２１を固定する（図１（ｂ）、図５）。一方、クッション保持部材１９には、前後方向に積層されるクッション層１８を固着し、クッション層１８の前後方向中間に、ピエゾ素子等でなる打撃センサ１７を配設しておく（図３、図４）。
【００３６】
そして、パッド体ＰＤのフレーム４０の背面に、ステイ２０のパッド取付部２２の締結穴６８を介して、クッション保持部材１９のフランジと一緒にパッド取付部２２をネジ止め固定する（図１（ｂ））。なお、ステイ２０及びクッション保持部材１９にフレーム４０を固定する段階で、フレーム４０は単体であってもよいし、パッド体ＰＤとして完成させておいてもよい。また、ステイ２０のパッド取付部２２は、クッション保持部材１９のフランジを介在させることなく、直接にまたは他の部材を介してパッド体ＰＤと固定してもよい。
【００３７】
図３、図４に示すように、ステイ２０及びクッション保持部材１９にパッド体ＰＤが固定されると、クッション層１８の一部がフレーム４０の横長のフレーム穴４１内に介在し、クッション層１８の前面がヘッド部３０の背面（特に主打撃領域３８の背面）に対向当接する。
【００３８】
次に、カバー体ＣＶは、次のようにしてスタンド１０に固定される。まず、ステイ２０の上下の取り付け片２３、２４に背面カバー１１の取付部５２、５３を後ろ側から当接させ、取付部５２、５３の取り付け穴を介して締結部２７にネジを螺合することで、背面カバー１１をステイ２０に取り付ける（図３、図５）。
【００３９】
次に、図４に示すように、背面カバー１１の環状部５８の前縁部５４の内側に、前方から前カバー２５の後縁部６２を嵌合する。その状態で、背面カバー１１及び前カバー２５を６つのフック部材１２の各々の前側片７２と後側片７１とで前後から挟み込む。これにて背面カバー１１及び前カバー２５の仮結合がなされる。
【００４０】
その後、後側片７１のネジ穴７３にネジを螺合すると、ネジ先端が背面カバー１１を前方に押圧する。その螺合深さを深めていくことにより、フック部材１２の前側片７２は前カバー２５を後方に付勢し、前側片７２と後側片７１とによる挟み込み力が高まっていく。円周方向の６箇所のフック部材１２につきそれを行うことで、背面カバー１１に対して前カバー２５が強固に結合されて、一体化したカバー体ＣＶとなる。
【００４１】
フック部材１２は、ラグに見せかける効果を有しており、意匠的効果とカバー連結機構とを併せ持つ利点がある。しかし、背面カバー１１に対して前カバー２５を固定する方法は問わず、フック部材１２の固定手法も問わないだけでなく、フック部材１２を用いることも必須でない。ただし、本実施の形態のように、フック部材１２の着脱が容易な構成とすれば、メンテナンスが容易で、また、フック部材１２の取り替えにより加飾の変更も容易となる利点がある。
【００４２】
このようにしてカバー体ＣＶが配設されると、前カバー２５により、パッド体ＰＤの周縁部でもあるヘッド部３０が外周側から覆われる。しかし、前カバー２５は専ら背面カバー１１によって支持されているのであり、パッド体ＰＤ自体には接触していない。前カバー２５の環状部６３も周縁部３１を前側から覆うが、ここも非接触である。すなわち、パッド体ＰＤは、背面カバー１１及びステイ２０を介してスタンド１０に支持され、前カバー２５はパッド体ＰＤの支持に関与していない。
【００４３】
かかる構成において、ヘッド部３０の主打撃領域３８がビータによって打撃されるとヘッド部３０が振動し、その振動が、クッション層１８の最前のクッション材の層を介して打撃センサ１７に伝わる。打撃センサ１７は、受けた振動を電気信号（電圧）に変換して、検出信号として出力する。そして、検出信号が所定の閾値を超えると、打撃があったことが検出される。その検出結果、すなわち、検出されたタイミングに基づくタイミングで、且つ検出信号のレベルに応じた音量にて、不図示の楽音発生機構によって楽音が発生する。
【００４４】
また、打撃時の変位について考察すると、次のようになる。パッド体ＰＤは、ステイ２０のパッド取付部２２に固定されているので、ヘッド部３０が打撃されると、パッド体ＰＤと共にパッド取付部２２が後方に瞬間的な付勢力を受ける。しかしスタンド取付部２１はスタンド１０に固定されているので、パッド取付部２２は、屈曲点Ｐ０を支点として後側に撓む。パッド取付部２２の撓みの程度は打撃力に応じたものとなり、打撃力が消滅すれば撓みも元に戻る。パッド取付部２２のしなりによって打撃の衝撃が吸収される。パッド取付部２２の撓みを介しない従来構成においては、打撃時に床面Ｆに伝わる衝撃力が大きく床鳴りが大きいが、本実施の形態では床鳴りが抑制され、静粛性が向上するだけでなく、電子打楽器の耐久性向上にも有利である。
【００４５】
また、従来のように、パッド体ＰＤに接触する形でシェルのようなカバーが設けられるとすると、打撃時のヘッド部３０の振動が直接にカバーに伝わり音が増幅され、いわゆる箱鳴り（一定時間振動するヘッド部３０と連動したシェルの残響に起因して発生する雑音）が生じる。しかし本実施の形態では、カバー体ＣＶがパッド体ＰＤとは接触しないように取り付けられたので、箱鳴りが抑制されている。
【００４６】
しかも、カバー体ＣＶも、パッド体ＰＤと同様にステイ２０に対して取り付けられているので、ステイ２０の撓みに伴って変位する。そのため、打撃力によって、パッド取付部２２の撓みに伴いパッド体ＰＤが後方に傾くように変位するのに並行して、カバー体ＣＶもほぼ同様の態様で変位する。従って、非打撃時に設定してあるカバー体ＣＶとパッド体ＰＤとの間のクリアランスが、打撃時にもほぼ確保される。よって、箱鳴りの抑制が確実に確保される。
【００４７】
また、前カバー２５に設けた開口スリット２６、背面カバー１１に設けた通気孔５５も、カバー体ＣＶ内の空気を外気に連通するので、箱鳴りの抑制に寄与する。
【００４８】
本実施の形態によれば、パッド体ＰＤが取り付けられたパッド取付部２２が打撃力によってスタンド取付部２１に対して後側に撓むので、打撃の衝撃を吸収し、不要雑音である床鳴りを抑制して静粛性を向上させると共に耐久性を高めることができる。
【００４９】
また、屈曲点Ｐ０はスタンド取付部２１の前端に位置するので、パッド取付部２２の撓みの支点を極力前方に位置させることができ、スタンド１０が浮き上がりにくくなって耐久性が向上する。
【００５０】
また、ステイ２０の上下方向に離間した上部と下部である取り付け片２３、２４に、弾性を有する背面カバー１１が固定されたので、パッド取付部２２が弾性的に撓む際の補強の効果を背面カバー１１が発揮する。よって、パッド取付部２２を弾性的に補強して耐久性を高めることができる。しかも、背面カバー１１はインターフェイスを設けるためのパネル部５１を提供する部材であるので、部品点数を無駄に増やすことがない。
【００５１】
なお、かかる補強の観点からは、図７（ｂ）に仮想線で示したように、補強部材６６を設けてもよい。すなわち、補強部材６６をスタンド取付部２１とパッド取付部２２の双方に、決まった方向に撓み得るように固着する。あるいは、ストッパ部材６７の一端部をスタンド取付部２１に固着すると共に、他端部をパッド取付部２２の後側に少しの間隙を有するように立設してもよい。この場合、パッド取付部２２の撓みが一定以上に大きくなると、ストッパ部材６７の他端部にパッド取付部２２が当接し、パッド取付部２２を補強する効果と、パッド取付部２２を撓ませ過ぎないようにするストッパ機能とが発揮される。補強部材６６及びストッパ部材６７の双方を設けてもよい。
【００５２】
なお、ステイ２０は金属で一体に形成されることで、製造が容易で耐久性も高いが、打撃の衝撃を吸収する観点からは、必ずしも金属に限定されず、一体に形成された部材にも限定されない。
【００５３】
また、パッド取付部２２の撓みによって打撃の衝撃を吸収する観点からは、パッド取付部２２とスタンド取付部２１とが呈するＬ字の形は前後方向で逆転させてもよい。すなわち、屈曲点Ｐ０がスタンド取付部２１の後端に位置し、スタンド取付部２１の後端からパッド取付部２２が上方に延びる構成であってもよい。
【００５４】
本実施の形態によればまた、パッド体ＰＤを外周から覆うカバー体ＣＶが、パッド体ＰＤとは接触しないように、スタンド１０に対して固定的な部分であるステイ２０に取り付けられたので、パッド体ＰＤを覆いつつ、打撃時の不要雑音である箱鳴りを抑制して静粛性を向上させることができる。
【００５５】
また、パッド体ＰＤは、カバー体ＣＶに対してではなく、カバー体ＣＶとは独立にステイ２０に対して固定されたので、打撃力によりステイ２０が変位してもカバー体ＣＶとパッド体ＰＤとには相対的に大きな変位が生じない。そのため、両者の非接触状態を維持することができ、箱鳴りを抑制して静粛性を確保することができる。
【００５６】
なお、カバー体ＣＶを設ける上で、パッド体ＰＤを覆いつつ打撃時の箱鳴りを抑制する観点では、カバー体ＣＶが固定される固定部は、ステイ２０以外でも、スタンド１０の一部分であるかまたはスタンド１０に対して固定的で且つパッド体ＰＤではない部分であればよい。このようなカバー体ＣＶが固定される固定部として例えば、スタンド１０に対して固定的な、クッション保持部材１９等の介在部材であってもよい。
【００５７】
また、パッド体ＰＤとカバー体ＣＶとは接触しないように配設すればよく、パッド体ＰＤは、上記の固定部に対して直接または間接的に固定すればよい。また背面カバー１１と前カバー２５とは当初から一体のカバーであってもよい。パッド取付部２２の補強の効果を求めない場合は、背面カバー１１はスタンド１０に固定してもよい。
【００５８】
なお、本実施の形態は、周波数特性の観点から音響的効果を実証するものである。図１０は、打撃音の周波数特性を示す図である。打撃音Ｓ１はヘッドの裏面に溝及び制振部材（プレート４９）を具備したヘッド構造について測定したものであり、打撃音Ｓ２は溝及び制振部材を具備しないヘッド構造について測定したものである。破線円に示すように、打撃音Ｓ１のピーク部は打撃音Ｓ２のピーク部に比べて大きく減衰している。これにより、電子打楽器において静粛性が確保される。
【００５９】
図１１（ａ）、（ｂ）は、従来、本実施の形態のそれぞれについて、カバー体ＣＶとパッド体ＰＤとの配置関係を示す模式図である。
【００６０】
従来の電子打楽器の構造では、図１１に示すように、カバー体ＣＶを具備した円筒形状のドラム本体であるシェルがパッド体ＰＤと接触しており、パッド体ＰＤの外周は隙間無く完全にシェルの外周に固定されている。上述のように、この構造では箱鳴りが生じることとなり、電子打楽器の音質を劣化させる。
【００６１】
一方、本実施の形態の構造では、図１１（ｂ）に示すように、シェルがパッド体ＰＤと接触していない。すなわち、パッド体ＰＤの全周に亘って、パッド体ＰＤの外周とシェルとの間にクリアランスが形成されている。ビータによるヘッド部３０への打撃がなされても、ヘッド部３０とカバー体ＣＶとの間に十分なクリアランスが維持されるよう設計されている。これにより、箱鳴りを防止して電子打楽器において静粛性を確保することができる。
【００６２】
以上、本発明をその好適な実施形態に基づいて詳述してきたが、本発明はこれら特定の実施形態に限られるものではなく、この発明の要旨を逸脱しない範囲の様々な形態も本発明に含まれる。
【００６３】
なお、以下に、本発明の効果の補足、及び、本発明を実現するための追加の構成や変形例を述べておく。以下の記載には、既に述べた事項と重複する内容も含まれている。
【００６４】
スタンド１０を胴体ないし脚部とし、パッド体ＰＤを頭部と見なせば、屈曲点Ｐ０を有するＬ字形状のステイ２０は、「首部」として把握できる。そして、パッド体ＰＤを覆うカバー体ＣＶが、首部の上部に、直接または間接的に固定される。打撃によって首部（ステイ２０）がしなっても、首部における屈曲を介して、パッド体ＰＤとカバー体ＣＶとが連動して動く。そのため、パッド体ＰＤが外周側に露出して見栄えが悪くなる、というようなことがなく、また、パッド体ＰＤとカバー体ＣＶとが接触して不要なノイズが発生する、というようなこともない。
【００６５】
首部の上部と下部とは、振動に対して弾力性のある連結部材を介して接続してもよい。この連結部材は、首部でのしなりを適度に残すような撓みやすい部材であればよく、金属であってもよいし、樹脂でもよい。弾力性のある連結部材での連結によって、首部に対して適度に補強がなされる。なお、首部において、連結部材がユーザに見えることによって、ユーザには、首部に十分な接続が確保されているように見え、安心感を与えることができる。
【００６６】
背面カバー１１のパネル部５１は、首部の上方で且つ、パッド体ＰＤの背面側に位置する。これにより、打面からパネルまでの位置が近くなる。また、パッド体ＰＤとパネル部５１とが同じように動くため、楽器内部における部品の予期せぬ位置ずれが起こりにくくなり、故障が生じにくくなる。
【００６７】
ストッパ部材６７は、首部が変形した際に、変形量を一定範囲に抑えるストッパ機能を果たす。
【符号の説明】
【００６８】
ＰＤ  パッド体、  １０  スタンド、  １１  背面カバー（背面パネル）、  １７  打撃センサ、  ２０  ステイ（支持部材）、  ２１  スタンド取付部、  ２２  パッド取付部、  Ｐ０  屈曲点、  ２３、２４  取り付け片、  ２５  前カバー、  ３０  ヘッド部
【図１】
2014199440.tif 000003
【図２】
2014199440.tif 000004
【図３】
2014199440.tif 000005
【図４】
2014199440.tif 000006
【図５】
2014199440.tif 000007
【図６】
2014199440.tif 000008
【図７】
2014199440.tif 000009
【図８】
2014199440.tif 000010
【図９】
2014199440.tif 000011
【図１０】
2014199440.tif 000012
【図１１】
2014199440.tif 000013